(57)【要約】【課題】デコーダやエンコーダを増やすことなく、再エンコード記録とストリーム記録を自動で切り替えることが可能なデジタル信号記録再生装置を提供すること。【解決手段】制御部００６は、ストリーム入力部００１から入力された入力ストリームをデコード部００４によって変換した映像／音声信号をエンコード部００５によって所望のビットレートで再びストリームに変換して記録メディアに記録を行わせる再エンコード記録を行わせる又は行っているときに、デコード部００４とエンコード部００５の両方またはどちらか一方が利用不可との判断を得た場合に、ストリーム入力部００１から入力された入力ストリームを直接記録メディアに記録を行わせるストリーム記録に切り替えるように入力ストリーム切り替え部００３を制御する。【選択図】図１
2006216153.tif 000002
【特許請求の範囲】
【請求項１】
デジタル信号であるストリームを入力するストリーム入力部と、
ストリームを記録メディアに記録する第１記録部と、
ストリームを復号化し映像／音声信号に変換するデコード部と、
映像／音声信号を符号化しストリームに変換するエンコード部と、
前記ストリーム入力部より入力された入力ストリームを前記デコード部によって変換した映像／音声信号を前記エンコード部によって所望のビットレートで再びストリームに変換し前記第１記録部によって記録メディアに記録を行わせる再エンコード記録か、前記入力ストリームを前記第１記録部によって直接に記録行わせるストリーム記録かを切り替えるストリーム入力切り替え部と、
前記ストリーム入力切り替え部を制御する制御部と、を備えたことを特徴とするデジタル信号記録再生装置。
【請求項２】
請求項１に記載のデジタル信号記録再生装置において、
前記制御部は、前記デコード部と前記エンコード部の両方またはどちらか一方が利用不可との判断を得た場合、前記入力ストリーム切り替え部を制御し、再エンコード記録からストリーム記録に切り替えることを特徴とするデジタル信号記録再生装置。
【請求項３】
請求項１に記載のデジタル信号記録再生装置において、
前記記録メディアの残量を検出する記録メディア残量検出部と、
記録予約を行う記録予約部と、
前記ストリーム入力部より入力された入力ストリームのビットレートを判別するビットレート判別部とをさらに備え、
前記制御部は、前記デコード部と前記エンコード部の両方またはどちらか一方が利用不可との判断を得た場合、前記ビットレート判別部で判別した前記入力ストリームのビットレートと、前記記録予約部で予約した記録時間の総量と、前記記録メディア残量検出部により算出される記録メディアの記録可能時間の残量とから予約した記録時間の総量を記録できる場合、前記入力ストリーム切り替え部を制御し、再エンコード記録からストリーム記録に切り替えることを特徴とするデジタル信号記録再生装置。
【請求項４】
請求項１に記載のデジタル信号記録再生装置において、
記録メディアからストリームを読み込み、読み込んだストリームを前記ストリーム入力部へ出力する読込み部を更に備え、
前記制御手段は、再エンコード記録をストリーム記録に切り替えて記録を完了した後に、前記デコード部と前記エンコード部の両方が利用可能との判断を得た場合に、前記読込み部によって読み込んだストリームを前記デコード部によって変換した映像／音声信号を前記エンコード部によって所望のビットレートで再びストリームに変換し、前記第１記録部によって記録メディアに記録を行わせることを特徴とするデジタル信号記録再生装置。
【請求項５】
請求項１に記載のデジタル信号記録装置において、
前記第１記録部とは別の記録メディアにストリームを記録する第２記録部と、
ストリームを前記第１記録部で記録するか前記第２記録部で記録するかを切り替える記録ストリーム切り替え部を更に備え、
前記制御部は、更に、前記記録ストリーム切り替え部を制御することを特徴とするデジタル信号記録再生装置。
【請求項６】
請求項５に記載のデジタル信号記録再生装置において、
前記第１記録部に装着された記録メディアの種別を判定するメディア種別判定部をさらに備え、
前記制御部は、前記デコード部と前記エンコード部の両方またはどちらか一方が利用不可との判断を得、さらに前記メディア種別判定部で前記記録メディアが１回のみ書き込み可能な記録メディアであることを判定した場合、前記記録ストリーム切り替え部を制御し、前記第１記録部での再エンコード記録から前記第２記録部でのストリーム記録に切り替えることを特徴とするデジタル信号記録再生装置。
【請求項７】
請求項５に記載のデジタル信号記録再生装置において、
前記制御部は、前記デコード部と前記エンコード部の両方またはどちらか一方が利用不可との判断を得、前記ビットレート判別部で判別した前記入力ストリームのビットレートと、前記記録予約部で予約した記録時間の総量と、前記記録メディア残量検出部により算出される前記記録メディアの記録可能時間の残量とから予約した記録時間の総量を記録できない場合、前記記録ストリーム切り替え部を制御し、前記第１記録部での再エンコード記録から前記第２記録部でのストリーム記録に切り替えることを特徴とするデジタル信号記録再生装置。
【請求項８】
請求項５に記載のデジタル信号記録再生装置において、
前記第２記録部で記録した記録メディアからストリームを読み込み前記ストリーム入力部へ入力する第２読込み部を更に備え、
前記制御部は、再エンコード記録をストリーム記録に切り替えて前記第２記録部に記録を完了した後に、前記デコード部と前記エンコード部の両方が利用可能との判断を得た場合に、前記第２読込み部によって読み込んだストリームを前記デコード部によって変換した映像／音声信号を前記エンコード部によって所望のビットレートで再びストリームに変換し、前記第１記録部によって記録メディアに記録を行わせることを特徴とするデジタル信号記録再生装置。
【発明の詳細な説明】
【技術分野】
【０００１】
本発明はデジタル信号記録再生装置に関するものであり、特に受信したデジタル放送番組を録画モードによって直接記録するか、ビットレートを変更して記録するかを選択できるようなデジタル信号記録再生装置に関する。
【背景技術】
【０００２】
近年、高画質なデジタル放送のデジタル信号を記録するデジタルＡＶレコーダなどのデジタル信号記録再生装置において、デジタル信号をそのまま記録すると記録メディアがすぐに一杯になるため、従来のデジタル信号記録再生装置としては、デジタル信号を所望のビットレートに変更して記録するものがあった（例えば、特許文献１参照）。
【０００３】
従来のデジタル信号録画再生装置は、デジタルチューナーにより受信したデジタル放送に含まれているＭＰＥＧトランスポートストリーム信号を、ＭＰＥＧトランスポートデコーダで抽出し、圧縮された信号であるＭＰＥＧトランスポートストリームをＭＰＥＧ  Ａ／Ｖデコーダ７で映像／音声信号となるようにデコードする。このデコード済みのＭＰＥＧトランスポートストリームはＭＰＥＧ  Ａ／Ｖエンコーダに入力され、ＭＰＥＧ  トランスポートストリームへと所望の圧縮レートで再びエンコードされ、再エンコードされたＭＰＥＧトランスポートストリームを記録メディアに記録する。これにより、ビットレートを下げて記録することが可能となるため、記録メディアが一杯になるタイミングを遅らせることができる。
【０００４】
以下、デジタル信号をデコーダでデコードしエンコーダで所望のビットレートで再びエンコードして記録することを再エンコード記録と呼び、デジタル信号をデコードせずに記録することをストリーム記録と呼ぶ。
【特許文献１】特開２００２−１０２００号公報
【発明の開示】
【発明が解決しようとする課題】
【０００５】
しかしながら、従来のデジタル信号記録再生装置では、デコーダとエンコーダを用いることでデジタル信号を任意のビットレートに変換して再エンコード記録を行うことができるが、再エンコード記録と他のデジタル信号の再生を同時に行おうとした場合には、デジタル信号の再生のためにもデコーダが必要になるため、デコーダを複数搭載しなければ、一旦開始した再エンコード記録によるデジタル信号記録をしながら他のデジタル信号を再生することができない。またアナログ放送の映像／音声信号をデジタル信号であるＭＰＥＧトランスポートストリームで記録する場合にはエンコーダが必要になるため、エンコーダを複数搭載しなければ、同様に一旦開始した再エンコード記録によるデジタル信号記録しながらアナログ放送の映像／音声信号を記録することができない。デコーダやエンコーダを実現するためには、ハードウェア処理する場合は専用のハードウェアを用意する必要があり、ソフトウェア処理をする場合には、より計算能力の高いＣＰＵを用意する必要があり、これにより、複数のデコーダやエンコーダを搭載することは、非常にコストがかかる。
【０００６】
本発明は、上記従来の課題を解決するもので、デコーダやエンコーダを増やすことなく、再エンコード記録とストリーム記録のモードを自動で切り替えることで、デジタル信号の記録を保障しつつ、同時にデジタル信号の再生／デジタル放送の視聴やアナログ放送の記録を行うことを可能としたデジタル信号記録再生装置を提供することを目的とする。
【課題を解決するための手段】
【０００７】
上記課題を解決するために、本発明のデジタル信号記録再生装置は、デジタル信号であるストリームを入力するストリーム入力部と、ストリームを記録メディアに記録する第１記録部と、ストリームを復号化し映像／音声信号に変換するデコード部と、映像／音声信号を符号化しストリームに変換するエンコード部と、前記ストリーム入力部より入力された入力ストリームを前記デコード部によって変換した映像／音声信号を前記エンコード部によって所望のビットレートで再びストリームに変換し前記第１記録部によって記録メディアに記録を行わせる再エンコード記録か、前記入力ストリームを前記第１記録部によって直接に記録行わせるストリーム記録かを切り替えるストリーム入力切り替え部と、前記ストリーム入力切り替え部を制御する制御部と、を備えたことを特徴とする。
【発明の効果】
【０００８】
本発明のデジタル信号記録再生装置によれば、デコーダやエンコーダを増やすことなく、再エンコード記録とストリーム記録を自動で切り替えることで、デジタル信号の記録を保障しつつ、同時にデジタル信号の再生／デジタル放送の視聴／アナログ放送の記録を行うことを可能にする。
【発明を実施するための最良の形態】
【０００９】
以下、本発明の実施の形態について、図面を参照しながら説明する。
【００１０】
（実施の形態１）
図１は、本発明の実施の形態におけるデジタル信号記録再生装置の構成を示すブロック図である。
【００１１】
図１に示すようにデジタル信号記録再生装置は、デジタルチューナーやＩＥＥＥ１３９４端子や記録メディア読込み部（図示せず）などから圧縮符号化されたデジタル信号であるＭＰＥＧトランスポートストリームの入力を受け付ける入力端子を持つストリーム入力部００１と、ストリーム入力部００１が受け付けたＭＰＥＧトランスポートストリームの入力ビットレートを判定する入力ビットレート判定部００２と、デジタル信号であるＭＰＥＧトランスポートストリームの出力先を切り替えるストリーム入力切り替え部００３と、ＭＰＥＧトランスポートストリームを映像／音声信号へデコードするＭＰＥＧ  Ａ／Ｖデコーダであるデコード部００４と、入力されたデジタルＡ／Ｖ信号を任意のビットレートのＭＰＥＧトランスポートストリームへエンコードするＭＰＥＧ  Ａ／Ｖエンコーダであるエンコード部００５と、デジタル信号記録装置の制御を行う制御部００６と、ユーザが指定した番組予約情報を管理する記録予約部００７と、制御部００６からの指示に従いメッセージやイメージなど表示する表示部００８と、第１メディア制御部００９を備えている。第１メディア制御部は、デジタル信号であるＭＰＥＧトランスポートストリームをＨＤＤやＤＶＤ−ＲＡＭなどの記録メディアの形式にあわせて記録メディアに記録する記録部１０１と、記録メディアに記録されたＭＰＥＧトランスポートストリームを読み込む読込み部１０２と、記録メディアの残量を検出するメディア残量検出部１０３を有している。
【００１２】
再エンコード記録によるデジタル信号の記録について説明する。
【００１３】
ストリーム入力部００１がデジタルチューナーやＩＥＥＥ１３９４端子から圧縮符号化された信号であるＭＰＥＧトランスポートストリームの入力を受け付ける。入力ビットレート判定部００２は、ストリーム入力部００１に入力されたＭＰＥＧトランスポートストリームの入力ビットレートを判定し、判定結果を制御部００６に通知する。制御部００６は、再エンコード記録を行なうと判断し、ストリーム入力部００１に入力されたＭＰＥＧトランスポートストリームをデコード部００４へ出力するようにストリーム入力切り替え部００３へ指示し、エンコード部００５に再エンコード記録用の圧縮ビットレートを通知する。ストリーム入力切り替え部００３は、制御部００６の指示に従って、ＭＰＥＧトランスポートストリームをデコード部００４に出力し、デコード部００４は、受け取ったＭＰＥＧトランスポートストリームを映像／音声信号となるようにデコードし、このデコード済みのＭＰＥＧトランスポートストリームをエンコード部００５に出力する。エンコード部００５は、制御部００６から入力される圧縮ビットレート指示に従って、入力したデコード済みのＭＰＥＧトランスポートストリームを再びエンコードする。そして再エンコードされたＭＰＥＧトランスポートストリームは第１メディア制御部００９へ送られ、制御部００６の指示に従って第１メディア制御部００９で記録メディアに記録される。
【００１４】
次にストリーム記録によるデジタル信号の記録について説明する。
【００１５】
制御部００６は、ストリーム入力部００１に入力されたＭＰＥＧトランスポートストリームを第１メディア制御部００９へ出力するようストリーム入力切り替え部００３へ指示する。ストリーム入力切り替え部００３は、受け取ったＭＰＥＧトランスポートストリームを制御部００６の指示に従って第１メディア制御部００９に出力し、制御部００６の指示に従って第１メディア制御部００９で記録メディアに記録される。
【００１６】
以上により、制御部が再エンコード記録とストリーム記録を判断制御し、ストリーム入力切り替え部００３により切り替えを行なうことにより、デジタル信号の記録とデジタル信号の再生が同時に発生した際に、デジタル信号の記録を保障しつつ、デジタル信号の再生を行うことが可能となる。
【００１７】
本発明の実施の形態のデジタル信号記録再生装置におけるデジタル信号の再エンコード記録動作について、図２のフローチャートを基に説明を行う。
【００１８】
再エンコード記録の開始が指示されると、制御部００６は、デコード部００４やエンコード部００５が利用中かどうか判断する（ステップＳ１０１）。利用可能な場合（ステップＳ１０１がＮｏ）、再エンコード記録を開始する（ステップＳ１０２）。利用不可能な場合（ステップＳ１０１がＹｅｓ）、ステップＳ１０５へ遷移する。
【００１９】
再エンコード記録中に、制御部００６は、再エンコード記録が終了したか否かを判断する（ステップＳ１０３）。再エンコードが終了した場合（ステップＳ１０３がＹｅｓ）、処理を終了する。一方、再エンコードが終了していない場合（ステップＳ１０３がＮｏ）、制御部００６は、デコード部００４やエンコード部００５の利用要求を判断する（ステップＳ１０４）。利用要求がない場合はステップＳ１０２へ遷移して再エンコード記録を継続し、利用要求があった場合はステップＳ１０５へ遷移する。
【００２０】
制御部００６がデコード部００４やエンコード部００５が利用中又は利用の要求を判定した場合、制御部００６は、第１メディア制御部００９（メディア残量検出部１０３）から検出したメディア残量と、記録予約部００７から読み込んだ予約時間と、入力ビットレート判別部００２より判別した入力信号のビットレートとに関する情報により、入力したＭＰＥＧトランスポートストリームが再エンコードを行わなくてもストリーム記録で記録可能か否かを判断する（ステップＳ１０５）。記録可能な場合（ステップＳ１０５がＹｅｓ）、制御部００６はストリーム入力切り替え部００３に対して入力されたＭＰＥＧトランスポートストリームを第１メディア制御部００９に送るように指示し、ストリーム記録に切り替え（ステップＳ１０６）、ストリーム記録を開始する（ステップＳ１０８）。不可能な場合（ステップＳ１０５がＮｏ）、制御部００６は表示部００８に対して同時動作ができない旨を表示するように指示し（ステップＳ１０７）、処理を終了する。これにより、デコード部００４、エンコード部００５の利用状況とストリームのビットレートとメディア残量によって自動的に録画モードを再エンコード記録からストリーム記録に切り替えることが可能となる。
【００２１】
ストリーム記録中に、制御部００６は、再エンコード記録からストリームに切り替えて記録が終了したかを判断する（ステップＳ１０９）。ストリーム記録が終了していないときは（ステップＳ１０９がＮｏ）、ステップＳ１０８へ遷移してストリーム記録を継続する。終了したときは（ステップＳ１０９がＹｅｓ）、ステップＳ１１０へ遷移する。
【００２２】
ストリーム記録に切り替えて記録が終了すると、制御部００６は、デコード部００４やエンコード部００５の利用中かどうか判断する（ステップＳ１１０）。デコード部００４やエンコード部００５が利用中の場合（ステップＳ１１０がＹｅｓ）、ステップＳ１１０を繰り返し、利用中でない場合（ステップＳ１１０がＮｏ）ステップＳ１１１に遷移する。
【００２３】
デコード部００４やエンコード部００５が利用中でない場合、制御部００６は、入力されたＭＰＥＧトランスポートストリームをデコード部００４へ出力するようにストリーム入力切り替え部００３へ指示し、第１メディア制御部００９へ記録メディアから記録を完了したＭＰＥＧトランスポートストリームを読み込み、ストリーム入力部００１へ入力するように指示する。そして、制御部００６はストリーム入力切り替え部００３から出力されたＭＰＥＧトランスポートストリームを、映像／音声信号となるようにデコードし、デコード済みのＭＰＥＧトランスポートストリームを指定の圧縮ビットレートでＭＰＥＧトランスポートストリームを再びエンコードするようにデコード部００４とエンコード部００５へ指示し、再エンコードされたＭＰＥＧトランスポートストリームを記録メディアに記録するように第１メディア制御部００９へ指示し、再エンコード記録を行なう（ステップＳ１１１）。
【００２４】
再エンコード記録中に（ステップＳ１１２）、制御部００６は、再エンコード記録が終了したか否かを判断する（ステップＳ１１３）。再エンコード記録が終了していない場合（ステップＳ１１３がＮｏ）、ステップＳ１１２へ遷移して再エンコード記録を継続し、一方、再エンコードが終了した場合（ステップＳ１１３がＹｅｓ）、制御部００６は、ストリーム記録されたＭＰＥＧトランスポートストリームを削除するよう第１メディア制御部００９へ指示を行う（ステップＳ１１４）。
【００２５】
以上により、制御部が再エンコード記録とストリーム記録を判断制御し、ストリーム入力切り替え部００３により切り替えを行なうことができ、一旦、ストリーム記録したトランスポートストリームを、自動で、指定された記録モードで記録し直すことが可能となる。これにより、デジタル信号の記録とデジタル信号の再生が同時に発生した際に、デジタル信号の記録を保障しつつ、デジタル信号の再生を行うことができる。
【００２６】
なお、ストリーム記録されたＭＰＥＧトランスポートストリームを削除しながら再エンコード記録を行うことも、再エンコード記録が完了してから削除することも可能である。
【００２７】
（実施の形態２）
図３は、本発明の実施の形態におけるデジタル信号記録再生装置の構成を示すブロック図である。図１に示した実施の形態１の構成に、ＤＶＤ−ＲＡＭやＤＶＤ−Ｒなどのメディア種別を判定するメディア種別判定部１０４を更に加えた第１メディア制御００９ａと、第２メディア制御部０１０と、ストリーム入力部００１に入力されたＭＰＥＧトランスポートストリームまたはエンコード部００５から出力されたＭＰＥＧトランスポートストリームを第１メディア制御部００９ａと第２メディア制御部０１０のどちらで記録するかを切り替える記録ストリーム切り替え部０１１と、第１メディア制御部００９ａと第２メディア制御部０１０から読み込まれるＭＰＥＧトランスポートストリームのどちらをストリーム信号入力部００１に入力するかを切り替える読込みストリーム切り替え部０１２とを更に備えている。第２メディア制御部０１０は、デジタル信号であるＭＰＥＧトランスポートストリームをＨＤＤやＤＶＤ−ＲＡＭなどの記録メディアの形式にあわせて記録メディアに記録する記録部２０１と、記録メディアに記録されたＭＰＥＧトランスポートストリームを読み込む読込み部２０２と、記録メディアの残量を検出するメディア残量検出部２０３とを有している。
【００２８】
上記の構成のデジタル信号記録再生装置における、デジタル信号の第１メディア制御部００９ａへの記録について説明する。
【００２９】
制御部００６は、ストリーム入力部００１に入力されたＭＰＥＧトランスポートストリームまたはエンコード部００５から出力されたＭＰＥＧトランスポートストリームのどちらかを指定し、第１メディア制御部００９ａへ出力されるように、記録ストリーム切り替え部０１１へ指示する。そして制御部００６の指示により、記録ストリーム切り替え部０１１から出力されるＭＰＥＧトランスポートストリームは、第１メディア制御部００９ａで記録メディアにあわせた形式で記録される。
【００３０】
次にデジタル信号の第２メディア制御部０１０への記録について説明する。
【００３１】
制御部００６は、ストリーム入力部００１に入力されたＭＰＥＧトランスポートストリームまたはエンコード部００５から出力されたＭＰＥＧトランスポートストリームのどちらかを指定し、第２メディア制御部０１０へ出力されるように、記録ストリーム切り替え部０１１へ指示する。そして制御部００６の指示により、記録ストリーム切り替え部０１１から出力されるＭＰＥＧトランスポートストリームは、第２メディア記録部０１０で記録メディアにあわせた形式で記録される。
【００３２】
本発明の実施の形態のデジタル信号記録再生装置におけるデジタル信号の再エンコード記録動作について、図４のフローチャートを基に説明を行う。
【００３３】
第１メディア制御部００９ａへの再エンコード記録の開始が指示されると、制御部００６は、デコード部００４やエンコード部００５が利用中かどうか判断する（ステップＳ２０１）。利用可能な場合（ステップＳ２０１がＮｏ）、再エンコード記録を開始する（ステップＳ２０２）。利用不可能な場合（ステップＳ２０１がＹｅｓ）、ステップＳ２０５へ遷移する。
【００３４】
第１メディア制御部００９ａへの再エンコード記録中に、再エンコード記録が終了したか否かを判断する（ステップＳ２０３）。再エンコードが終了した場合（ステップＳ２０３がＹｅｓ）、処理を終了する。一方、再エンコードが終了していない場合（ステップＳ２０３がＮｏ）、制御部００６は、デコード部００４やエンコード部００５の利用要求を判断する（ステップＳ２０４）。利用要求ない場合はステップＳ２０２へ遷移し再エンコード記録を継続し、利用要求があった場合はステップＳ２０５へ遷移する。
【００３５】
制御部００６がデコード部００４やエンコード部００５が利用中又は利用の要求を判定した場合、制御部００６は、第１メディア制御部００９ａ（メディア種別判定部１０４）からメディアの種別を取得し、メディア種別がＤＶＤ−Ｒなどの一回のみ記録可能なメディアかどうかを判断する（ステップＳ２０５）。メディアが一回のみ記録可能なメディアではない場合（ステップＳ２０５がＮｏ）、ステップＳ２０７に遷移する。メディアが一回のみ記録可能なメディアだった場合（ステップＳ２０５がＹｅｓ）、制御部００６は、ＭＰＥＧトランスポートストリームが第２メディア制御部０１０へ出力されるように、記録ストリーム切り替え部０１１へ指示する（ステップＳ２０６）。
【００３６】
制御部００６は、ステップＳ２０６にて記録ストリーム切り替え部０１１を切り替えていない場合は第１メディア制御部００９ａから、切り替えた場合は第２メディア制御部０１０から検出したメディア残量と、記録予約部００７から読み込んだ予約時間と、入力ビットレート判別部００２より判別した入力信号のビットレートとに関する情報より、入力したＭＰＥＧトランスポートストリームが再エンコードを行わなくてもストリーム記録で記録可能か否かを判断する（ステップＳ２０７）。記録可能な場合（ステップＳ２０７がＹｅｓ）、制御部００６はストリーム入力切り替え部００３に対して入力されたＭＰＥＧトランスポートストリームをステップＳ２０６にて記録ストリーム切り替え部０１１を切り替えていない場合は第１メディア制御部００９ａへ、切り替えた場合は第２メディア制御部０１０へ送るように指示し、ストリーム記録に切り替え（ステップＳ２０８）、ストリーム記録を開始する（ステップＳ２１１）。不可能な場合（ステップＳ２０７がＮｏ）、制御部００６は、ステップＳ２０５にて記録ストリーム切り替え部０１１を切り替え済みか判別する（ステップＳ２０９）。切り替えていない場合（ステップＳ２０９がＮｏ）、ステップＳ２０６に遷移し、切り替えていた場合（ステップＳ２０９がＹｅｓ）、制御部００６は表示部００８に対して同時動作ができない旨を表示するように指示し（ステップＳ２１０）、処理を終了する。これにより、デコード部００４、エンコード部００５の利用状況とストリームのビットレートとメディア残量とメディア種別によって自動的に録画モードを再エンコード記録からストリーム記録に切り替え、自動的に別のメディアに切り替えて記録を行うことが可能となる。
【００３７】
ストリーム記録中に、制御部００６は、再エンコード記録からストリームに切り替えて記録が終了したかを判断する（ステップＳ２１２）。ストリーム記録が終了していないときは（ステップＳ２１２がＮｏ）、ステップＳ２１１へ遷移してストリーム記録を継続する。終了したときは（ステップＳ２１２がＹｅｓ）、ステップＳ２１２へ遷移する。
【００３８】
ストリーム記録に切り替えて記録が終了したあとに、制御部００６は、デコード部００４やエンコード部００５が利用中かどうか判断する（ステップＳ２１３）。デコード部００４やエンコード部００５が利用中の場合（ステップＳ２１３がＹｅｓ）、ステップＳ２１３を繰り返し、利用中でない場合（ステップＳ２１３がＮｏ）、ステップＳ２１４に遷移する。
【００３９】
デコード部００４やエンコード部００５が利用中でない場合、制御部００６は、ステップＳ２０６にて記録ストリーム切り替え部０１１を切り替えていない場合は第１メディア制御部００９ａから、切り替えた場合は第２メディア制御部０１０から読み込まれたＭＰＥＧトランスポートストリームがストリーム入力部００１へ入力されるように切り替えるように指示し、入力されたＭＰＥＧトランスポートストリームをデコード部００４へ出力するようにストリーム入力切り替え部００３へ指示し、エンコード部００５から出力されたＭＰＥＧトランスポートストリームが第１メディア制御部００９ａへ出力されるように、記録ストリーム切り替え部０１１へ指示する。そして、制御部００６は、記録が完了したＭＰＥＧトランスポートストリームを読み込みストリーム入力部００１へ入力するように、ステップＳ２０６にて記録ストリーム切り替え部０１１を切り替えていない場合は第１メディア制御部００９ａへ、切り替えた場合は第２メディア制御部０１０へ指示する。そして制御部００６はストリーム入力切り替え部００３から出力されたＭＰＥＧトランスポートストリームを、映像／音声信号となるようにデコードし、デコード済みのＭＰＥＧトランスポートストリームを指定の圧縮ビットレートでＭＰＥＧトランスポートストリームを再びエンコードするようにデコード部００４、エンコード部００５へ指示し、再エンコードされたＭＰＥＧトランスポートストリームを記録メディアに記録するように第１メディア制御部００９へ指示し、再エンコード記録を行なう（ステップＳ２１４）。
【００４０】
再エンコード記録中に（ステップＳ２１５）、制御部００６は、再エンコード記録が終了したか否かを判断する（ステップＳ２１６）。再エンコード記録が終了していない場合（ステップＳ２１６がＮｏ）、ステップＳ２１５へ遷移して再エンコード記録を継続し、一方、再エンコードが終了した場合（ステップＳ２１６がＹｅｓ）、制御部００６は、ストリーム記録されたＭＰＥＧトランスポートストリームを削除するよう、ステップＳ２０６にて記録ストリーム切り替え部０１１を切り替えていない場合は第１メディア制御部００９ａへ、切り替えた場合は第２メディア制御部０１０へ、指示を行う（ステップＳ２１７）。
【００４１】
以上により、制御部が再エンコード記録とストリーム記録を判断制御し、ストリーム入力切り替え部００３により切り替えを行なうことができ、一旦、ストリーム記録したトランスポートストリームを、指定された記録メディアへ、指定された記録モードで記録し直すことが可能となる。これにより、デジタル信号の記録とデジタル信号の再生が同時に発生した際に、デジタル信号の記録を保障しつつ、デジタル信号の再生を行うことができる。
【００４２】
なお、ストリーム記録されたＭＰＥＧトランスポートストリームを削除しながら再エンコード記録を行うことも、再エンコード記録が終了してから削除することも可能である。
【００４３】
また、ステップＳ２０５にてメディア種別を判定しているが、メディア種別を判定しないでストリーム記録するためにメディア残量が足り場合に、第２メディア制御部０１０での記録に切り替えてもよい。
【００４４】
また、２つのメディア制御部を備えている場合について、説明したが、２つに限定しない。
【００４５】
以上、この発明の実施の形態について図面を参照して詳述してきたが、具体的な構成はこの実施の形態に限られるものではなく、例えば本発明をプログラムによって実現し、これをフロッピー（登録商標）ディスクなどの記録媒体に記録して移送することにより、独立した他のコンピュータシステムで容易に実現するなど、この発明の要旨を逸脱しない範囲の設計等も含まれる。
【００４６】
また、ストリームとしてＭＰＥＧトランスポートストリームを扱い説明しているが、シリアルのデータ符号化列で表現されるデジタル信号であればなんでもよい。
【産業上の利用可能性】
【００４７】
本発明にかかるデジタル信号記録再生装置は、デコード機能やエンコード機能が複数ない場合でも、自動的に録画モードを切り替えて、記録と再生を実現できる機能を有し、デジタル信号を記録するデジタルＡＶ機器等として有用である。また、デジタル信号の記録が可能な情報端末や通信端末などの用途にも応用できる。
【図面の簡単な説明】
【００４８】
【図１】本発明の実施の形態に係るデジタル信号記録再生装置の構成を示すブロック図
【図２】本発明の実施の形態に係るデジタル信号記録再生装置のデジタル信号記録の流れを説明するためのフローチャート
【図３】本発明の実施の形態に係るデジタル信号記録再生装置の構成を示すブロック図
【図４】本発明の実施の形態に係るデジタル信号記録再生装置のデジタル信号記録の流れを説明するためのフローチャート
【符号の説明】
【００４９】
００１    ストリーム入力部
００２    入力ビットレート判定部
００３    ストリーム入力切り替え部
００４    デコード部
００５    エンコード部
００６    制御部
００７    記録予約部
００８    表示部
００９，００９ａ    第１メディア制御部
０１０    第２メディア制御部
０１１    記録ストリーム切り替え部
０１２    読込みストリーム切り替え部
１０１，２０１    記録部
１０２，２０２    読込み部
１０３，２０３    メディア残量検出部
１０４    メディア種別判定部
【図１】
2006216153.tif 000003
【図２】
2006216153.tif 000004
【図３】
2006216153.tif 000005
【図４】
2006216153.tif 000006